(57)【特許請求の範囲】
【請求項１】
支持ポールにアンテナ設置装置を用いてパラボラアンテナを取付けるとともに、前記パラボラアンテナの姿勢をターゲットスコープを用いて調整するアンテナ設置方法であって、
前記パラボラアンテナの取付けられていない前記アンテナ設置装置に、前記ターゲットスコープを、該ターゲットスコープの中心軸を前記パラボラアンテナの中心軸と一致させる態様で取付ける工程と、
前記アンテナ設置装置に前記ターゲットスコープを取付けた後、前記ターゲットスコープを用いて前記アンテナ設置装置の姿勢を調整する工程と、
前記アンテナ設置装置の姿勢を調整した後、前記アンテナ設置装置に前記パラボラアンテナを取付ける工程と、
を含んで成ることを特徴とするアンテナ設置方法。
【請求項２】
支持ポールとパラボラアンテナとの間に介在し、前記支持ポールに前記パラボラアンテナを取付けるとともに、前記パラボラアンテナの姿勢をターゲットスコープを用いて調整するよう構成して成るアンテナ設置装置であって、
前記ターゲットスコープを、該ターゲットスコープの中心軸と前記パラボラアンテナの中心軸とを一致させる態様で支持するスコープ取付部と、
前記パラボラアンテナの取付けられる正面板に形成され、前記ターゲットスコープの視野を確保する開口と、
を備えて成ることを特徴とするアンテナ設置装置。
【発明の詳細な説明】
【０００１】
【発明の属する技術分野】
本発明は、支持ポールにアンテナ設置装置を用いてパラボラアンテナを取付けるとともに、前記パラボラアンテナの姿勢をターゲットスコープを用いて調整するアンテナ設置方法に関する。
【０００２】
また、本発明は、支持ポールとパラボラアンテナとの間に介在して、前記支持ポールに前記パラボラアンテナを取付けるとともに、前記パラボラアンテナの姿勢をターゲットスコープを用いて調整するよう構成して成るアンテナ設置装置に関する。
【０００３】
【従来の技術】
ＰＴＰ(Point To Point)加入者無線システムでは、基地局と基地局との間、あるいは基地局とユーザ(ビル、個人宅)との間の加入者線を、相対向するパラボラアンテナを用いた無線通信によって構成している。
【０００４】
図６に示す如く、上記パラボラアンテナＡは、例えばビルの屋上等に立設した支持ポールＰに、アンテナ固定具(アンテナ設置装置)Ｂを介して取付けられている。
【０００５】
ここで、パラボラアンテナＡを設置する際には、先ず支持ポールＰにアンテナ固定具Ｂを取付け、こののちアンテナ固定具ＢにパラボラアンテナＡを取付けている。
【０００６】
一方、パラボラアンテナＡは、相手側のパラボラアンテナと対向するよう方向を調整する必要がある。
【０００７】
そこで、パラボラアンテナＡの外縁部にターゲットスコープＳを取付け、このターゲットスコープＳが相手側のパラボラアンテナの中心を捕らえるよう、支持ポールＰに対してアンテナ固定具ＢとともにパラボラアンテナＡの方向を調整している。
【０００８】
【発明が解決しようとする課題】
ところで、パラボラアンテナによる無線通信には、指向性の狭い高周波が用いられるため、相対向する一対のパラボラアンテナは、互いの中心軸を合致させて正対していることが望ましい。
【０００９】
しかし、図６および図７に示す如く、パラボラアンテナＡの外縁部に取付けられたターゲットスコープＳの光軸(中心軸)ｓと、パラボラアンテナＡの中心軸ａとは一致していないため、ターゲットスコープＳが相手側パラボラアンテナＡ′の中心を捕らえても、パラボラアンテナＡの中心軸ａと相手側のパラボラアンテナＡ′の中心軸ａ′とは一致せず、もって相手側のパラボラアンテナＡ′に正対させるべくパラボラアンテナＡを正確に設置することができなかった。
【００１０】
本発明は上記実状に鑑みて、パラボラアンテナを正確に設置することの可能なアンテナ設置方法およびアンテナ設置装置の提供を目的とするものである。
【００１１】
【課題を解決するための手段】
上記目的を達成するべく、本発明に関わるアンテナ設置方法は、支持ポールにアンテナ設置装置を用いてパラボラアンテナを取付けるとともに、前記パラボラアンテナの姿勢をターゲットスコープを用いて調整するアンテナ設置方法において、前記パラボラアンテナの取付けられていない前記アンテナ設置装置に、前記ターゲットスコープを、該ターゲットスコープの中心軸を前記パラボラアンテナの中心軸と一致させる態様で取付ける工程と、前記アンテナ設置装置に前記ターゲットスコープを取付けた後、前記ターゲットスコープを用いて前記アンテナ設置装置の姿勢を調整する工程と、前記アンテナ設置装置の姿勢を調整した後、前記アンテナ設置装置に前記パラボラアンテナを取付ける工程とを含んで成ることを特徴としている。
【００１２】
また、上記目的を達成するべく、本発明に関わるアンテナ設置装置は、支持ポールとパラボラアンテナとの間に介在し、前記支持ポールに前記パラボラアンテナを取付けるとともに、前記パラボラアンテナの姿勢をターゲットスコープを用いて調整するよう構成して成るアンテナ設置装置において、前記ターゲットスコープを該ターゲットスコープの中心軸と前記パラボラアンテナの中心軸とを一致させる態様で支持するスコープ取付部と、前記パラボラアンテナの取付けられる正面板に形成されて前記ターゲットスコープの視野を確保する開口とを備えて成ることを特徴としている。
【００１３】
【発明の実施の形態】
以下、実施例を示す図面に基づいて、本発明を詳細に説明する。
図１〜図５は、本発明に関わるアンテナ設置装置の一実施例を示しており、このアンテナ設置装置１は、ポールクランプ２とアンテナブラケット３とを具備している。
【００１４】
上記ポールクランプ２は支持ポールＰにアンテナ設置装置１を取付けるための機構であり、またアンテナブラケット３はパラボラアンテナＡをアンテナ設置装置１に取付けるための部材であって、パラボラアンテナＡはアンテナ設置装置１を介して支持ポールＰに設置されている。
【００１５】
因みに、支持ポールＰは、例えばビルの屋上等に略垂直方向に延在して立設されている。
また、パラボラアンテナＡは、反射鏡であるアンテナ本体Ａａと、該アンテナ本体Ａａと一体に組付けられた無線部Ａｂとを備えている。
【００１６】
ポールクランプ２は、支持ポールＰを挟んで対向するクランププレート２Ａ、２Ｂと、上記クランププレート２Ａに植設されてクランププレート２Ｂに遊嵌する４本のボルト２Ｃとを有しており、各ボルト２Ｃに螺合しているナット２Ｄを締めて、クランププレート２Ａ、２Ｂで支持ポールＰを挟持することで、上記支持ポールＰに対して固設される。
【００１７】
なお、上記ポールクランプ２は、後に詳述する如く、パラボラアンテナＡの方位角を調整するための方位角調整手段としても機能するものである。
【００１８】
一方、アンテナブラケット３は、上述したポールクランプ２のクランププレート２Ａに密接しているベース板３ａと、パラボラアンテナＡの取付けられる正面板３ｆとを有し、さらにベース板３ａと正面板３ｆとを繋ぐ補強材としての上板３ｔおよび下板３ｂを有している。なお、上記ベース板３ａと正面板３ｆとは、互いに直角を為す態様で形成されている。
【００１９】
また、上記アンテナブラケット３は、ベース板３ａの略中心部を貫通するピン３ｐによって、ポールクランプ２のクランププレート２Ａと連結されているとともに、上記ピン３ｐを中心にクランププレート２Ａに対して回転自在に支障されている。
【００２０】
さらに、上記アンテナブラケット３のベース板３ａには、ピン３ｐを中心とした円周上に複数の湾曲した長孔３ｈが形成されており、該長孔３ｈに貫通してクランププレート２Ａに螺合しているネジ３ｒを締付けることによって、上記アンテナブラケット３をポールクランプ２のクランププレート２Ａに対して不動に固定することができる。
【００２１】
このように、ポールクランプ２のクランププレート２Ａに対して回動自在かつ固定可能であることから、上記アンテナブラケット３はパラボラアンテナＡの仰角を調整するための仰角調整手段として機能するものである。
【００２２】
また、アンテナブラケット３の下板３ｂには、該下板３ｂと連なる板金を上方に曲げ形成することによって、ターゲットスコープＳを支持するためのスコープ取付部３ｓが設けられており、該スコープ取付部３ｓには、ターゲットスコープＳを取付けるためのボルト(図示せず)が貫通する取付孔３ｃと、ネジ３ｒを操作する工具を挿通させるための開口３ｄが形成されている。
【００２３】
上記スコープ取付部３ｓは、ターゲットスコープＳの光軸(中心軸)ｓを、パラボラアンテナＡの中心軸ａと一致させる態様で、上記ターゲットスコープＳを支持するものである。
【００２４】
言い換えれば、上記スコープ取付部３ｓは、該スコープ取付部３ｓに取付けられたターゲットスコープＳの光軸ｓが、後述する設置作業においてアンテナブラケット３の正面板３ｆに取付けられるパラボラアンテナＡの中心軸ａと一致するよう形成されている。
【００２５】
なお、ターゲットスコープＳの光軸ｓを、パラボラアンテナＡの中心軸ａと一致させるべく、上記スコープ取付部３ｓに、ターゲットスコープＳの取付位置を微調整するための、適宜な位置調整機構を設置し得ることは言うまでもない。
【００２６】
一方、アンテナブラケット３の正面板３ｆには、パラボラアンテナＡを取付けるためのボルト(図示せず)が貫通するアンテナ取付孔３ｅが形成されているとともに、上記スコープ取付部３ｓに取付けたターゲットスコープＳの視野を確保するための開口３ｏが形成されている。
【００２７】
この開口３ｏは、上記ターゲットスコープＳの光軸ｓ、あるいは正面板３ｆに取付けられるパラボラアンテナＡの中心軸ａを中心とした丸孔であり、ターゲットスコープＳの視野を妨げることのない十分な面積を有している。
【００２８】
上述した構成のアンテナ設置装置１を用いて、支持ポールＰにパラボラアンテナＡを設置する場合には、先ず、図６(ａ)に示す如く、パラボラアンテナＡの取付けられていないアンテナ設置装置１を、ポールクランプ２によって支持ポールＰに仮設置するとともに、アンテナブラケット３のスコープ取付部３ｓにターゲットスコープＳを取付ける。
【００２９】
ここで、上記スコープ取付部３ｓに取付けられたターゲットスコープＳの光軸ｓは、上述した如く後の工程において取付けられるパラボラアンテナＡの中心軸ａと一致することとなる。
【００３０】
なお、上記ターゲットスコープＳは、アンテナ設置装置１を支持ポールＰに設置する前に、予めアンテナブラケット３のスコープ取付部３ｓに取付けておいても良い。
【００３１】
次いで、図６(ｂ)に示す如く、ターゲットスコープＳが相手側のパラボラアンテナＡ′の中心を捕らえるよう、アンテナ設置装置１の方向を調整する。
【００３２】
ここで、アンテナ設置装置１におけるポールクランプ２の締付けを僅かに緩めて、略垂直に延びる支持ポールＰを中心として回動させることにより、上記アンテナ設置装置１、すなわち該アンテナ設置装置１に取付けられるパラボラアンテナＡの方位角を調整することができる。
【００３３】
また、アンテナ設置装置１におけるネジ３ｒの締付けを緩めて、ポールクランプ２に対してアンテナブラケット３を回動させることにより、該アンテナブラケット３に取付けられるパラボラアンテナＡの仰角を調整することができる。
【００３４】
上述した如く、アンテナ設置装置１の方向を調整したのち、ポールクランプ２を締め付けて上記アンテナ設置装置１を支持ポールＰに固定するとともに、ネジ３ｒを締付けてアンテナブラケット３をポールクランプ２に固定する。
【００３５】
次いで、図６(ｃ)に示す如く、アンテナ設置装置１におけるアンテナブラケット３の正面板３ｆ(図５参照)に、ボルト(図示せず)を用いてパラボラアンテナＡを取付ける。
【００３６】
このとき、上述した如くアンテナ設置装置１に取付けたターゲットスコープＳの光軸ｓを、パラボラアンテナＡの中心軸ａと一致させたことにより、ターゲットスコープＳを用いてアンテナ設置装置１の方向を調整したのち、このアンテナ設置装置１に取付けられたパラボラアンテナＡの中心軸ａは、相手側のパラボラアンテナＡ′の中心を指すこととなり、もってパラボラアンテナＡが正確に設置されることとなる。
【００３７】
なお、ターゲットスコープＳは、アンテナ設置装置１の方向を調整した後には不用となるので、アンテナ設置装置１にパラボラアンテナＡを取付ける前、あるいはアンテナ設置装置１にパラボラアンテナＡを取付けた後の、何れか適宜な時期にアンテナ設置装置１から取り外される。
【００３８】
ここで、図６においては、既に設置されている相手側のパラボラアンテナＡ′に対して、新規にパラボラアンテナＡを設置する場合を説明したが、相対向する一対のパラボラアンテナＡを同時に設置する場合には、以下の如くパラボラアンテナＡを設置する。
【００３９】
先ず、各パラボラアンテナＡを設置する支持ポールＰに、それぞれアンテナ設置装置１を仮設置するとともに、各アンテナ設置装置１にターゲットスコープＳを取付け、ターゲットスコープＳが相手側のアンテナ設置装置１におけるアンテナブラケット３の開口３ｏ中心、あるいは開口３ｏから覗く相手側のターゲットスコープＳの先端(対物レンズ)中心を捕らえるよう、各々のアンテナ設置装置１の方向を調整する。
【００４０】
各々のアンテナ設置装置１の方向調整が完了したのち、先に説明した実施例と同じく、各々のアンテナ設置装置１にパラボラアンテナＡを取付けることによって、各パラボラアンテナＡの中心軸は、相手側のパラボラアンテナＡの中心を指すこととなり、もって各パラボラアンテナＡが正確に設置されることとなる。
【００４１】
なお、本発明に関わるアンテナ設置方法およびアンテナ設置装置は、ＰＴＰ加入者無線システムを構成するパラボラアンテナのみならず、様々な通信システムを構成するパラボラアンテナに対しても、極めて有効に適用し得ることは言うまでもない。
【００４２】
【発明の効果】
以上、詳述した如く、本発明に関わるアンテナ設置方法は、パラボラアンテナの取付けられていないアンテナ設置装置に、ターゲットスコープを該ターゲットスコープの中心軸をパラボラアンテナの中心軸と一致させる態様で取付ける工程と、アンテナ設置装置にターゲットスコープを取付けた後、ターゲットスコープを用いてアンテナ設置装置の姿勢を調整する工程と、アンテナ設置装置の姿勢を調整した後、アンテナ設置装置にパラボラアンテナを取付ける工程とを含んで成る。
上記構成によれば、アンテナ設置装置に取付けたターゲットスコープの中心軸を、パラボラアンテナの中心軸と一致させたことにより、上記ターゲットスコープを用いてアンテナ設置装置の姿勢を調整したのち、このアンテナ設置装置に取付けられたパラボラアンテナの中心軸は、上記ターゲットスコープの中心軸と一致することとなり、したがってパラボラアンテナを正確に設置することが可能となる。
【００４３】
また、本発明に関わるアンテナ設置装置は、ターゲットスコープを該ターゲットスコープの中心軸とパラボラアンテナの中心軸とを一致させる態様で支持するスコープ取付部と、パラボラアンテナの取付けられる正面板に形成されてターゲットスコープの視野を確保する開口とを備えて成る。
上記構成によれば、スコープ取付部に支持したターゲットスコープの中心軸がパラボラアンテナの中心軸と一致することにより、上記ターゲットスコープを用いてアンテナ設置装置の姿勢を調整することで、上記アンテナ設置装置に取付けられるパラボラアンテナを正確に設置することが可能となる。
【図面の簡単な説明】
【図１】本発明に関わるアンテナ設置装置の実施例を示す平面図。
【図２】図１に示したアンテナ設置装置の側面図。
【図３】図１に示したアンテナ設置装置の背面図。
【図４】図３のIV−IV線断面図。
【図５】図１に示したアンテナ設置装置の全体斜視図。
【図６】    (ａ)、(ｂ)、(ｃ)は本発明に関わるアンテナ設置方法を示す概念図。
【図７】    (ａ)および(ｂ)は従来のアンテナの設置態様を示す平面図および側面図。
【図８】従来のアンテナの相対的な設置態様を示す概念図。
【符号の説明】
１…アンテナ設置装置、
２…ポールクランプ、
３…アンテナブラケット、
３ｆ…正面板、
３ｓ…スコープ取付部、
３ｏ…開口、
Ｐ…支持ポール、
Ａ…パラボラアンテナ、
ａ…中心軸、
Ｓ…ターゲットスコープ、
ｓ…光軸(中心軸)。
【図１】
0003844953.tif 000002
【図２】
0003844953.tif 000003
【図３】
0003844953.tif 000004
【図４】
0003844953.tif 000005
【図５】
0003844953.tif 000006
【図６】
0003844953.tif 000007
【図７】
0003844953.tif 000008
【図８】
0003844953.tif 000009